(57)【要約】【課題】  提案された超音波霧化装置では、ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があった。【解決手段】  送風口はケースの一端にケースとほぼ同じ幅に形成し、多数の円筒型の吸引口はケースの他端に装着した吸引口支持板に固着され、支持板は送風口と吸引口の間に形成され、圧電体振動子は送風口から吸引口の方向に僅かに傾斜され、ノズルが圧電体振動子のそれぞれに装着され、吸引カバーはノズルのそれぞれに、ノズルの基部に一端が嵌合され、ノズルの先端より高い位置に複数の吸引孔を設け、ノズルの長さより長く構成され、チューブは吸引カバーの他端に一端が嵌合され、他端が吸引口支持板に装着された吸引口に嵌合され、霧化液体は霧化液体供給口から供給される。【選択図】図１
2006231298.tif 000002
【特許請求の範囲】
【請求項１】
ケースの一端に該ケースとほぼ同じ幅に形成した送風口と、他端に装着した吸引口支持板に固着した多数の円筒型の吸引口と、前記送風口と吸引口の間に形成した支持板と、該支持板に前記送風口から吸引口の方向に僅かに傾斜した１列に複数装着した多数列の圧電体振動子と、該圧電体振動子のそれぞれに装着されたノズルと、前記ノズルのそれぞれに、前記ノズルの基部に一端が嵌合され、前記ノズルの先端より高い位置に複数の吸引孔を設け、前記ノズルの長さより長く構成した吸引カバーと、該吸引カバーの他端に一端が嵌合され、他端が前記吸引口支持板に装着された吸引口に嵌合されたチューブと、常に前記支持板の上から前記ノズルの上端より僅か下方のレベルになるように霧化液体供給口から供給される霧化液体とからなり、前記送風口から送風される気体は前記吸引カバーの前記複数の吸引口で吸引されるように前記霧化液体の表面を送風するように構成することを特徴とする超音波霧化分溜装置。
【請求項２】
前記１つの列の複数の圧電体振動子が隣り合った列の複数の圧電体振動子の間に位置するように構成することを特徴とする請求項１記載の超音波霧化分溜装置。
【発明の詳細な説明】
【技術分野】
【０００１】
本発明は、多数列に装着した圧電体振動子に円錐状ノズルを装着し、このノズルに吸引カバーを装着し、圧電体振動子を駆動して、ノズルから噴出した霧化粒子を吸引カバーで回収して分溜する超音波霧化分溜装置に関するものである。
【背景技術】
【０００２】
この種の超音波霧化装置としては、図５に示すように、ケース１の側壁１ａの上部に送風口１ｂを形成し、側壁１ａの対向する側壁１ｃに吸引口１ｄを形成し、ケース１の底部に水平部１ｅより僅かに傾斜した複数の傾斜部１ｆを形成し、この傾斜部１ｆの下部にそれぞれ圧電体振動子２を装着し、又、傾斜部１ｆにそれぞれ圧電体振動子２より小径の孔１ｇを形成し、傾斜部１ｆの上部に、それぞれの傾斜と同方向に傾斜した円錐状のノズル３を装着し、さらに、ノズル３の上端より僅かに下側まで霧化液体４が常に一定のレベルになるように供給され、又、圧電体振動子２に発振器５から発振出力を印加したものを本出願人が提案している。
【０００３】
このように構成された従来の超音波霧化装置では、発振器４から圧電体振動子２に発振出力が供給されると、圧電体振動子２から超音波が発生し、ノズル３と傾斜部１ｆの間に形成された霧化液体注入口３ａから注入された霧化液体５はノズル３から噴出して、霧化粒子４ａが発生し、この霧化粒子４ａは送風口１ｂから供給された送風によって吸引口１ｄから吸引され、図示しない回収装置によって回収される。
【０００４】
しかしながら、このように構成した従来の超音波霧化装置では、ケース１内に多数の圧電体振動子２及びノズル３を装着した場合、隣り合った圧電体振動子２とノズル３の間隔が狭いため、送風口１ｂ側のノズル３から噴出された霧化粒子が次のノズル３から発生した霧化粒子と衝突して、霧化粒子の径が大きくなり、吸引口１ｄから排出されないで、霧化液体５の液面に落下したり、側壁１ｃに衝突して、吸引口１ｄから排出される霧化粒子が少なくなり、霧化効率が悪いという問題があった。
【特許文献１】特願２００４−３２０６３１
【発明の開示】
【発明が解決しようとする課題】
【０００５】
解決しようとする問題点は、提案された超音波霧化装置では、ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があった。
【課題を解決するための手段】
【０００６】
本発明では、送風口はケースの一端に該ケースとほぼ同じ幅に形成し、多数の円筒型の吸引口はケースの他端に装着した吸引口支持板に固着され、支持板は送風口と吸引口の間に形成され、１列に複数装着した多数列の圧電体振動子は送風口から吸引口の方向に僅かに傾斜され、ノズルが圧電体振動子のそれぞれに装着され、吸引カバーはノズルのそれぞれに、ノズルの基部に一端が嵌合され、ノズルの先端より高い位置に複数の吸引孔を設け、ノズルの長さより長く構成され、チューブは吸引カバーの他端に一端が嵌合され、又、他端が吸引口支持板に装着された吸引口に嵌合され、霧化液体は常に前記支持板の上からノズルの上端より僅か下方のレベルになるように霧化液体供給口から供給されてなり、１つの列の複数の圧電体振動子は隣り合った列の複数の圧電体振動子の間に位置するように構成され、送風口から送風される気体は吸引カバーの複数の吸引口で吸引されるように霧化液体の表面を送風するように構成するものである。
【発明の効果】
【０００７】
本発明の超音波霧化分溜装置では、圧電体振動子から発生した霧化粒子が、ノズルのそれぞれに嵌合された吸引カバーの側面に設けられた吸引孔から吸引された気体によってを、吸引カバーの先端に嵌合されたチューブで直接吸引口に吸引されることにより、隣り合った圧電体振動子で発生した霧化粒子が互いに干渉することなく送風されるので、霧化効率を向上させることができるという利点がある。
【発明を実施するための最良の形態】
【０００８】
本発明では、ノズルに吸引カバーを装着して、吸引カバーからチューブで直接吸引に接続することにより、圧電体振動子で霧化された霧化粒子が隣り合った圧電体振動子で発生した霧化と干渉することなく、吸引口に送風することができるようにしたものである。
【実施例】
【０００９】
図１は本発明の実施例の超音波霧化分溜装置の側面図、図２は図１の超音波霧化分溜装置の平面図、図３は図１の超音波霧化分溜装置でノズルに吸引カバーを装着した斜視図、図４は図３のノズルに吸引カバーを装着した側面図で、ケース６の一端にケース６の幅とほぼ同じ幅の送風口７が形成され、この送風口７は送風管８を介して送風装置９に接続され、又、ケース６の他端に装着された吸引口支持板１０に多数の円筒型の吸引口１０ａが固着され、この吸引口１０ａが固着された吸引口支持板１０の下部は空洞に形成され、吸引口１０ａから吸引された霧化粒子が吸引して回収されるように吸引回収装置１１に接続され、さらに、ケース６の送風口７と吸引口支持板１０の間に形成した支持板１２に吸引口支持板１０の方向に傾斜した多数列の傾斜部１２ａが形成され、これらの傾斜部１２ａにそれぞれノズル１３を装着した圧電体振動子１４が装着され、霧化液体供給装置１５からケース６内に設けた供給口１５ａを介して霧化液体１６が供給され、この霧化液体１６は常にノズル１３の上端から僅かに下方になるように供給されており、さらに、支持板１２の下方に装着した発振器１７から圧電体振動子１４に発振出力が印加されており、又、図３及び図４に示すように、ノズル１３にそれぞれ嵌合された吸引カバー１８は、下端１８ａが圧電体振動子１４の上部に位置する用に構成され、又、吸引カバー１８の側部のノズル１３の上端部分に吸引孔１８ｂが形成され、吸引カバー１８の上端１８ｃにチューブ１９の一端１９ａが嵌合され、チューブ１９の他端１９ｂは吸引口支持板１０に固着された円筒型の吸引口に嵌合されている。
【００１０】
このように構成された本実施例の超音波霧化分溜装置では、発振器１７から発振出力が圧電体振動子１４に印加されると、圧電体振動子１４で発生した超音波振動はノズル１３によって絞られてケース６の上方で、吸引カバー内に噴出されるが、吸引回収装置１１が常に気体を吸引しているため、このノズル１３より噴出された霧化粒子は吸引カバー１８の側部に形成された吸引孔１８ａから吸引される気体とともに吸引口１０ａから吸引回収装置１１で吸引されるので、隣り合ったノズル１３から発生する霧化粒子は干渉することが無く、霧化粒子が大きくなって霧化液体１６の面に落下せずに吸引回収装置で１１で全て回収され、霧化効率が非常に向上するという利点がある。
【産業上の利用可能性】
【００１１】
なお、上記実施例において、吸引カバー１８の上端１８ｃを絞って、細いチューブ１９を嵌合したが、吸引カバー１８の径と同じ径のチューブ１９を吸引口１０ａに接続してもよいし、又、霧化液体供給装置１５から供給される液体がケース６の支持板１２の上方のノズル１３の噴出口の下方で、ほぼ常に一定になるようにする液面調節手段として、液面センサによるものや浮きによるもの等が考慮される。
【図面の簡単な説明】
【００１２】
【図１】本発明の実施例の超音波霧化分溜装置の側面図である。
【図２】図１の超音波霧化分溜装置の平面図である。
【図３】図１の超音波霧化分溜装置でノズルに吸引カバーを装着した斜視図である。
【図４】図３のノズルに吸引カバーを装着した側面図である。
【図５】本出願人が提案した超音波霧化装置の側面断面図である。
【符号の説明】
【００１３】
６                ケース
７                送風口
８                送風管
９                送風装置
１０              吸引口
１１              吸引回収装置
１３              ノズル
１４              圧電体振動子
１５              霧化液体供給装置
１６              霧化液体
１７              発振器
１８              吸引カバー
１９              チューブ
【図１】
2006231298.tif 000003
【図２】
2006231298.tif 000004
【図３】
2006231298.tif 000005
【図４】
2006231298.tif 000006
【図５】
2006231298.tif 000007